(57)【要約】【課題】空圧シリンダのように動作する電磁モータの提供。【解決手段】電磁性素子に通電後、発生する電磁場が磁性素子と相互に排斥或いは吸引してホルダを押動し、反対に電磁性素子の通電停止した後、磁性消失し、板バネの回復作用力により該ホルダと該磁性素子の位置を回復させ、構成部品全体の部品数を減らせ、体積を小さくし、材料を減らし、これにより製造コストを減らし、組立を簡単にすることができる。【選択図】図２
0003119103.tif 000002
【実用新案登録請求の範囲】
【請求項１】
電磁モータにおいて、
中央孔を具えたベース、
該ベースの中央孔内部に動作可能に取り付けられたホルダ、
該ホルダ底部に嵌着された磁性素子、
該磁性素子の下方に嵌着され、通電により電磁場極性を発生し、該磁性素子と相互に排斥或いは相互に吸引して推力を発生し、該ホルダを駆動する電磁性素子、
複数の溝が形成する内側活動部と外側固定部を具え、該内側活動部が該ホルダに固定され、該固定部が該ベースの上方に固定された板バネ、
該ベースの上部に結合され、該ベースとの間に該板バネが設けられたカバー、
を包含したことを特徴とする、電磁モータ。
【請求項２】
請求項１記載の電磁モータにおいて、前記ホルダ内にネジ山が設けられて該ネジ山によりレンズと螺合されることを特徴とする、電磁モータ。
【請求項３】
請求項１記載の電磁モータにおいて、前記板バネが該ホルダ周囲に繞設されたことを特徴とする、電磁モータ。
【請求項４】
請求項１記載の電磁モータにおいて、前記板バネと前記カバーに該ベースに対応して中央孔が設けられたことを特徴とする、電磁モータ。
【請求項５】
請求項１記載の電磁モータにおいて、前記磁性素子が磁石とされたことを特徴とする、電磁モータ。
【請求項６】
請求項１記載の電磁モータにおいて、前記電磁性素子が電磁石とされたことを特徴とする、電磁モータ。
【請求項７】
電磁モータにおいて、
該電磁モータはベースとホルダを包含し、該ベース内側に中央孔が設けられ、該ホルダがホルダが該中央孔内で動作可能とされ、該電磁モータが更に、
該ホルダ底部に嵌着された磁性素子、
該磁性素子の下方に嵌着され、通電により電磁場極性を発生し、該磁性素子と相互に排斥或いは相互に吸引して推力を発生し、該ホルダを駆動する電磁性素子、
を包含したことを特徴とする、電磁モータ。
【請求項８】
請求項７記載の電磁モータにおいて、複数の溝が形成する内側活動部と外側固定部を具え、該内側活動部が該ホルダに固定され、該固定部が該ベースの上方に固定され、該内側活動部が推力により弾性湾曲し、推力が消失する時、弾性回復作用力により該ホルダを復原させる板バネを更に包含したことを特徴とする、電磁モータ。
【請求項９】
請求項８記載の電磁モータにおいて、前記板バネに前記ベースに対応して中央孔が設けられたことを特徴とする、電磁モータ。
【請求項１０】
請求項７記載の電磁モータにおいて、前記ホルダ内にネジ山が設けられて該ネジ山によりレンズと螺合されることを特徴とする、電磁モータ。
【請求項１１】
請求項１記載の電磁モータにおいて、前記板バネが該ホルダ周囲に繞設されたことを特徴とする、電磁モータ。
【請求項１２】
請求項７記載の電磁モータにおいて、前記ベースの上部に結合されたカバーを更に包含したことを特徴とする、電磁モータ。
【請求項１３】
請求項１２記載の電磁モータにおいて、前記カバーに前記ベースに対応して中央孔が設けられたことを特徴とする、電磁モータ。
【請求項１４】
請求項７記載の電磁モータにおいて、前記磁性素子が磁石とされたことを特徴とする、電磁モータ。
【請求項１５】
請求項１記載の電磁モータにおいて、前記電磁性素子が電磁石とされたことを特徴とする、電磁モータ。
【考案の詳細な説明】
【技術分野】
【０００１】
本考案は一種の電磁モータに係り、特に、構造が空圧シリンダのようであり、ボイスコイルモータの機能を具備するが、体積は更に小さく、部品数が更に少なく、構造が更に簡単である電磁モータに関する。
【背景技術】
【０００２】
ボイスコイルモータ（ＶＣＭ）は体積が小さく、使用電力が少なく、移動の駆動が正確で価格が低廉である等の長所を有し、電子製品中の短距離アクチュエーター、例えば携帯電話の振動モータ、磁気ヘッド／光ピックアップの上下移動アクチュエータ、カメラオートフォーカスアクチュエータなどに適合する。
【０００３】
図１はカメラオートフォーカス（ＡＦ）に使用される伝統的なボイスコイルモータ（ＶＣＭ）の分解図である。該ボイスコイルモータは、トップカバー１００、ボトムカバー１０５及び外フレーム１１０を包含し、外フレーム１１０内の四周側にそれぞれ磁石１１５が設けられ、レンズホルダ１２０内側にネジ山が設けられ、レンズ１２５をねじ込んで支持することができ、レンズホルダ１２０の外周にコイル１３０が嵌着され、該レンズホルダ１２０が外フレーム１１０内の四つの磁石１１５の中心において活動可能であり、並びに該二つのコイル１３０の通電により発生する磁場極性と該四つの磁石１１５の相互排斥或いは吸引により、該レンズホルダ１２０を駆動する。該レンズホルダ１２０は、上下それぞれ一つの板バネ１３５により該四つの磁石１１５の中心に支持される。
【０００４】
コイル１３０に通電する時、該コイルは電流磁場作用により該磁石と推力を発生し、該板バネ１３５により該レンズホルダ１２０を駆動して前後に移動させる。この構造の全体体積は比較的大きく、部品数が多く、このため製造コストが高くなり、組立が複雑となる。
【考案の開示】
【考案が解決しようとする課題】
【０００５】
本考案は既存のボイスコイルモータを改良した、空圧シリンダに類似の電磁モータを提供するものである。それは体積が更に小さく、構造が更に簡単で、部品数が更に少なく、使用電力が更に少なく、敏感な駆動を行え、速度が更に速い電磁モータであり、合理的設計の考案である。
【０００６】
即ち、本考案の主要な目的は、部品数を減らせ、これにより体積を小さくし、材料を減らせ、このため製造コストを下げられ、組立も簡単である、電磁モータを提供することにある。
【０００７】
上述の目的を達成するため、本考案は、中央孔を具えたベース、板バネ、結合アセンブリを具えて該ベースに結合され、該ベースとの間に該板バネが設けられたカバー、可動式に該ベースの中心孔内部に取り付けられたホルダ、該ホルダの下方に取り付けられた磁性素子、該磁性素子の下方に取り付けられると共に、該ベースの中央孔内部に位置する電磁性素子、を包含する。該磁性素子と該電磁性素子の電磁場作用により、該ホルダが前後に押動され、上述の部品構成により、部品数を減らせ、体積を小さくでき、材料を減らせ、このため製造コストを下げられ、組立も簡単である効果を達成する。
【課題を解決するための手段】
【０００８】
請求項１の考案は、電磁モータにおいて、
中央孔を具えたベース、
該ベースの中央孔内部に動作可能に取り付けられたホルダ、
該ホルダ底部に嵌着された磁性素子、
該磁性素子の下方に嵌着され、通電により電磁場極性を発生し、該磁性素子と相互に排斥或いは相互に吸引して推力を発生し、該ホルダを駆動する電磁性素子、
複数の溝が形成する内側活動部と外側固定部を具え、該内側活動部が該ホルダに固定され、該固定部が該ベースの上方に固定された板バネ、
該ベースの上部に結合され、該ベースとの間に該板バネが設けられたカバー、
を包含したことを特徴とする、電磁モータとしている。
請求項２の考案は、請求項１記載の電磁モータにおいて、前記ホルダ内にネジ山が設けられて該ネジ山によりレンズと螺合されることを特徴とする、電磁モータとしている。
請求項３の考案は、請求項１記載の電磁モータにおいて、前記板バネが該ホルダ周囲に繞設されたことを特徴とする、電磁モータとしている。
請求項４の考案は、請求項１記載の電磁モータにおいて、前記板バネと前記カバーに該ベースに対応して中央孔が設けられたことを特徴とする、電磁モータとしている。
請求項５の考案は、請求項１記載の電磁モータにおいて、前記磁性素子が磁石とされたことを特徴とする、電磁モータとしている。
請求項６の考案は、請求項１記載の電磁モータにおいて、前記電磁性素子が電磁石とされたことを特徴とする、電磁モータとしている。
請求項７の考案は、電磁モータにおいて、
該電磁モータはベースとホルダを包含し、該ベース内側に中央孔が設けられ、該ホルダがホルダが該中央孔内で動作可能とされ、該電磁モータが更に、
該ホルダ底部に嵌着された磁性素子、
該磁性素子の下方に嵌着され、通電により電磁場極性を発生し、該磁性素子と相互に排斥或いは相互に吸引して推力を発生し、該ホルダを駆動する電磁性素子、
を包含したことを特徴とする、電磁モータとしている。
請求項８の考案は、請求項７記載の電磁モータにおいて、複数の溝が形成する内側活動部と外側固定部を具え、該内側活動部が該ホルダに固定され、該固定部が該ベースの上方に固定され、該内側活動部が推力により弾性湾曲し、推力が消失する時、弾性回復作用力により該ホルダを復原させる板バネを更に包含したことを特徴とする、電磁モータとしている。
請求項９の考案は、請求項８記載の電磁モータにおいて、前記板バネに前記ベースに対応して中央孔が設けられたことを特徴とする、電磁モータとしている。
請求項１０の考案は、請求項７記載の電磁モータにおいて、前記ホルダ内にネジ山が設けられて該ネジ山によりレンズと螺合されることを特徴とする、電磁モータとしている。
請求項１１の考案は、請求項１記載の電磁モータにおいて、前記板バネが該ホルダ周囲に繞設されたことを特徴とする、電磁モータとしている。
請求項１２の考案は、請求項７記載の電磁モータにおいて、前記ベースの上部に結合されたカバーを更に包含したことを特徴とする、電磁モータとしている。
請求項１３の考案は、請求項１２記載の電磁モータにおいて、前記カバーに前記ベースに対応して中央孔が設けられたことを特徴とする、電磁モータとしている。
請求項１４の考案は、請求項７記載の電磁モータにおいて、前記磁性素子が磁石とされたことを特徴とする、電磁モータとしている。
請求項１５の考案は、請求項１記載の電磁モータにおいて、前記電磁性素子が電磁石とされたことを特徴とする、電磁モータとしている。
【考案の効果】
【０００９】
本考案は、中央孔を具えたベース、板バネ、結合アセンブリを具えて該ベースに結合され、該ベースとの間に該板バネが設けられたカバー、可動式に該ベースの中心孔内部に取り付けられたホルダ、該ホルダの下方に取り付けられた磁性素子、該磁性素子の下方に取り付けられると共に、該ベースの中央孔内部に位置する電磁性素子、を包含する。該磁性素子と該電磁性素子の電磁場作用により、該ホルダが前後に押動され、上述の部品構成により、部品数を減らせ、体積を小さくでき、材料を減らせ、このため製造コストを下げられ、組立も簡単である効果を達成する。
【考案を実施するための最良の形態】
【００１０】
図２は本考案の電磁モータの立体分解図である。本考案の電磁モータは、ベース１０、板バネ２０、カバー３０、ホルダ４０、磁性素子５０、電磁性素子６０を包含する。該ベース１０は中央孔１１を具え、該中央孔１１に上述の各部品が取り付けられる。該ベース１０の体積は小さいため、ホルダ４０の全体の電磁モータの体積は小さく、該カバー３０は該ベース１０上に結合固定される。
【００１１】
該板バネ２０は該カバー３０と該ベース１０の間に設けられ、該板バネ２０には複数の溝が設けられ、内側活動部と外側固定部が形成されており、該内側活動部は該ホルダ４０に固着され、該外側固定部は該ベース１０上方に固定される。該ホルダ４０は該板バネ２０により該ベース１０の中央孔１１内部に活動可能に支持され、該ホルダ４０内にネジ山が設けられてレンズ１２５が螺合される。該板バネ２０は平板状であり、このため弾性が良好で、回復も速く、ホルダ４０の移動距離を大きくできる。
【００１２】
図３は本考案の電磁モータの側面断面駆動状態表示図である。該ホルダ４０の底部に磁性素子５０が嵌着され、該電磁性素子６０は該磁性素子５０の下方に嵌着されて、該ベース１０の中央孔１１内部の底部に位置する。電磁性素子６０は通電の後、電磁場極性を発生して該磁性素子５０と相互に排斥或いは吸引し推力を発生し、該ホルダ４０を駆動し、反対に、電磁性素子６０の通電を停止すると、磁性が消失し、該板バネ２０の弾性回復作用力により該ホルダ４０と該磁性素子５０が復原する。そのうち、該磁性素子５０は磁石とされ、該電磁性素子６０は電磁石とされる。
【００１３】
好ましくは、該板バネ２０は該ホルダ４０の周囲に繞設されて、且つ、該板バネ２０と該カバー３０に、該ベース１０に対応して中央孔が設けられ、これにより該ホルダ４０に該レンズ１２５を取り付けられる。
【００１４】
図１と図２を対比すると分かるように、本考案は伝統的なボイスコイルモータよりも、一つのボトムカバー、一つの板バネ、及び三つの磁石が減らされ、またベースも小さくされ、磁石の体積も小さくされ、ゆえに部品数が減らされ、体積が小さくされ、材料が減らされ、これにより製造コストが下げられる。
【００１５】
本考案と伝統的なボイスコイルモータの駆動原理もまた同じくなく、ボイスコイルモータは外周に固定された磁石と内部の可動のコイルが発生する磁場による駆動であるが、本考案は底部に固定された電磁石と上部の可動の磁石により上向きの磁場推力或いは吸引力を発生し、自動車の空圧シリンダのごとく動作し、空圧シリンダ底部にあって発生する動力と同様である。
【図面の簡単な説明】
【００１６】
【図１】伝統的なボイスコイルモータの立体分解図である。
【図２】本考案の電磁モータの立体分解図である。
【図３】本考案の電磁モータの側面断面駆動状態表示図である。
【符号の説明】
【００１７】
１００  トップカバー
１０５  ボトムカバー
１１０  外フレーム
１１５  磁石
１２０  レンズホルダ
１２５  レンズ
１３０  コイル
１３５  板バネ
１３２  溝
１０  ベース
１１  中央孔
２０  板バネ
３０  カバー
４０  ホルダ
５０  磁性素子
６０  電磁性素子
【図１】
0003119103.tif 000003
【図２】
0003119103.tif 000004
【図３】
0003119103.tif 000005